(57)【要約】【課題】瞬停の度に電力を遮断せずともリセット用コンデンサを確実に放電可能とする。【解決手段】スイッチング制御回路５への入力電圧の降下を検出し、当該スイッチング制御回路５に設けられたリセット用コンデンサＣ２を放電する放電回路５５を作動させる電圧検出回路５３であって、前記入力電圧の降下検出後の復電時から所定時間Ｔａ後に電圧が復電判定値Ｖｒに至る比較用信号を前記入力電圧から生成し、前記入力電圧の降下検出時から前記比較用信号の電圧が前記復電判定値Ｖｒを超えるまで前記放電回路５５の作動を継続して前記リセット用コンデンサＣ２を放電するようにした。【選択図】図１
2011146985.tif 000002
【特許請求の範囲】
【請求項１】
電気回路への入力電圧の降下を検出し、当該電気回路に設けられたリセット用コンデンサを放電する放電回路を作動させる電圧検出回路であって、
前記入力電圧の降下検出後の復電時から所定時間後に電圧が復電判定値に至る比較用信号を前記入力電圧から生成し、前記入力電圧の降下検出時から前記比較用信号の電圧が前記復電判定値を超えるまで前記放電回路の作動を継続して前記リセット用コンデンサを放電することを特徴とする電圧検出回路。
【請求項２】
前記比較用信号の電圧と、前記復電判定値とを比較するコンパレータを備え、
前記比較用信号を前記コンパレータに入力する接続ノードには、前記入力電圧の降下検出時に放電しつつ、前記接続ノードに印加された入力電圧に基づき充電する充放電回路を設けた
ことを特徴とする請求項１に記載の電圧検出回路。
【請求項３】
前記入力電圧の降下検出時から所定時間に亘り前記接続ノードをグランド側に接続するゼロ電圧維持回路を備えることを特徴とする請求項１又は２に記載の電圧検出回路。
【請求項４】
トランスの１次側に設けたスイッチング素子のオン・オフを制御し、前記トランスの２次側に出力電圧を得る電源装置において、
前記スイッチング素子を制御するとともに、リセット用コンデンサを有するスイッチング制御回路と、
前記リセット用コンデンサを放電する放電回路と、
１次側への入力電圧の降下を検出し、前記放電回路を作動させて前記リセット用コンデンサを放電する電圧検出回路と、を備え、
前記電圧検出回路は、
前記入力電圧の降下検出後の復電時から所定時間後に電圧が復電判定値に至る比較用信号を前記入力電圧から生成し、前記入力電圧の降下検出時から前記比較用信号の電圧が前記復電判定値を超えるまで前記放電回路の作動を継続して前記リセット用コンデンサを放電する
ことを特徴とする電源装置。
【発明の詳細な説明】
【技術分野】
【０００１】
本発明は、電気回路に設けられたリセット用コンデンサを瞬停発生に伴い確実に放電させる技術に関する。
【背景技術】
【０００２】
電源装置には、正常に出力できる入力電圧範囲、さらには最小入力電圧が規定されたものがある。例えばスイッチング電源装置では、一般に、スイッチング動作を制御すると共にリセット用コンデンサが放電されたときにリセット動作する制御回路と、入力電圧が最小入力電圧以下となったことを検出し、リセット用コンデンサを放電する電圧検出回路（入力監視回路）とを備え、入力電力の停電／復電時に、当該電圧検出回路がリセット用コンデンサを放電することによって、制御回路の誤動作を防止したものがある。
【０００３】
ところで、入力電力の復電に伴って電圧検出回路がリセット用コンデンサの放電を停止する構成であると、入力電力の停電／復電が瞬間的に生じた場合（以下、「瞬停」と言う）、リセット用コンデンサの放電が不充分になり制御回路がリセット動作しない事がある。
そこで従来、電圧検出回路によって停電復帰が検出されたときには、当該停電復帰を所定時間遅延させる機能を備えた電源回路が提案されている（例えば、特許文献１（段落番号００４３〜００４５、図５）参照）。係る電源回路によれば、リセット用コンデンサの放電が不充分のうちに入力電圧が復帰する場合でも、電源回路が所定時間に亘り停止するため、リセット用コンデンサが放電して制御回路を確実にリセットできる。
【先行技術文献】
【特許文献】
【０００４】
【特許文献１】特開２００２−１６５１５５号公報
【発明の概要】
【発明が解決しようとする課題】
【０００５】
しかしながら、従来の構成では、瞬停が発生するごとに電源回路を停止させるため、当該電源回路から電力供給を受けて作動する全ての回路の動作が所定時間停止する、という問題がある。このため、リセット動作が不要な回路には、別途に電力を供給しておく必要が生じることもある。
本発明は、上述した事情に鑑みてなされたものであり、瞬停の度に電力を遮断せずともリセット用コンデンサを確実に放電することができる電圧検出回路、及び当該電圧検出回路を備えた電源装置を提供することを目的とする。
【課題を解決するための手段】
【０００６】
上記目的を達成するために、本発明は、電気回路への入力電圧の降下を検出し、当該電気回路に設けられたリセット用コンデンサを放電する放電回路を作動させる電圧検出回路であって、前記入力電圧の降下検出後の復電時から所定時間後に電圧が復電判定値に至る比較用信号を前記入力電圧から生成し、前記入力電圧の降下検出時から前記比較用信号の電圧が前記復電判定値を超えるまで前記放電回路の作動を継続して前記リセット用コンデンサを放電することを特徴とする。
【０００７】
また本発明は、上記電圧検出回路において、前記比較用信号の電圧と、前記復電判定値とを比較するコンパレータを備え、前記比較用信号を前記コンパレータに入力する接続ノードには、前記入力電圧の降下検出時に放電しつつ、前記接続ノードに印加された入力電圧に基づき充電する充放電回路を設けたことを特徴とする。
【０００８】
また本発明は、上記電圧検出回路において、前記入力電圧の降下検出時から所定時間に亘り前記接続ノードをグランド側に接続するゼロ電圧維持回路を備えることを特徴とする。
【０００９】
上記目的を達成するために、本発明は、トランスの１次側に設けたスイッチング素子のオン・オフを制御し、前記トランスの２次側に出力電圧を得るスイッチング電源装置において、前記スイッチング素子を制御するとともに、リセット用コンデンサを有するスイッチング制御回路と、前記リセット用コンデンサを放電する放電回路と、１次側への入力電圧の降下を検出し、前記放電回路を作動させて前記リセット用コンデンサを放電する電圧検出回路と、を備え、前記電圧検出回路は、前記入力電圧の降下検出後の復電時から所定時間後に電圧が復電判定値に至る比較用信号を前記入力電圧から生成し、前記入力電圧の降下検出時から前記比較用信号の電圧が前記復電判定値を超えるまで前記放電回路の作動を継続して前記リセット用コンデンサを放電することを特徴とする。
【発明の効果】
【００１０】
本発明によれば、瞬停が発生した場合であっても、比較用信号が所定時間をかけて復電判定値に至るため、当該所定時間に亘りリセット用コンデンサの放電が継続されることとなり確実に放電させることができる。また、入力電圧から生成した比較用信号に基づき復電判定を行うため当該復電を確実に検出でき、また、比較用信号に基づき放電回路の作動を停止させるため、電気回路への電力供給を遮断せずとも確実にリセット動作を行うことができる。
【図面の簡単な説明】
【００１１】
【図１】本発明の実施形態に係る電源装置の構成を示す回路図である。
【図２】電圧検出回路を拡大して示す回路図である。
【図３】入力電力投入時（復電時）のスイッチング電源装置の動作を示すタイミングチャートである。
【図４】瞬停時のスイッチング電源装置の動作を示すタイミングチャートである。
【図５】本発明の変形例に係る電圧検出回路の構成を示す回路図である。
【図６】同電圧検出回路の瞬停時の動作を示すタイミングチャートである。
【発明を実施するための形態】
【００１２】
以下、図面を参照して本発明の実施形態について説明する。この実施形態では、スイッチング電源装置のスイッチング制御回路をリセットする電圧検出回路に本発明を適用した場合を例示する。
【００１３】
図１は、本実施形態に係るスイッチング電源装置１の構成を示す回路図である。
スイッチング電源装置１は、いわゆるフォワード方式のスイッチング電源である。すなわち、スイッチング電源装置１は、トランスＴ１を有し、このトランスＴ１の１次巻線２には、例えばＭＯＳＦＥＴ等のスイッチング素子３が直列に接続され、このスイッチング素子３をオン／オフするスイッチング制御回路５が設けられている。そして、スイッチング素子３がオン／オフすることで、１次側の入力端７から入力される入力電圧Ｖａによって１次巻線２に起電圧を生じさせ、また２次巻線９には誘導起電圧を生じさせる。
【００１４】
トランスＴ１の２次巻線９には、整流素子たるダイオード１１及び１３、平滑用チョークコイル１５、電解コンデンサ１７から成り、２次巻線９に発生する誘導起電圧を整流して直流の出力電圧Ｖｂを出力端２１に出力する整流平滑回路１９が設けられている。この出力端２１に負荷を接続することで、当該負荷に所定電圧値の出力電圧Ｖｂが印加される。
【００１５】
また、このスイッチング電源装置１にあっては、１次側に、入力平滑回路２３と、励磁リセット回路２５とを備えている。
入力平滑回路２３は、入力電圧を平滑化して出力するものであり、ダイオード２７及び電解コンデンサＣ１から構成されている。
励磁リセット回路２５は、トランスＴ１に蓄積される残留励磁電力を放電する回路であり、トランスＴ１に設けたリセット巻線としての３次巻線２９と、この３次巻線２９に直列に接続した抵抗３１、ダイオード３３及び電解コンデンサ３５を備え、トランスＴ１の残留励磁電力を電解コンデンサ３５に蓄電する。この電解コンデンサ３５の入力端は、一次側の入力端７に抵抗３７を介して接続されており、電解コンデンサ３５の蓄電力が結果として入力側に電力還流するように構成されている。また、この電解コンデンサ３５の蓄電力は、スイッチング制御回路５にも供給されており、入力電力遮断時にスイッチング制御回路５に電力を供給する補助バッテリとしても機能する。
【００１６】
また、２次側にあっては、２次側の出力端２１と整流平滑回路１９との間に、過電圧検出回路３９が設けられている。過電圧検出回路３９は、出力端２１の過電圧を検出する回路であり、出力端２１の端子間に設けた抵抗４１及び４３と、この端子間の電圧が抵抗４１及び４３によって規定された過電圧値になった場合にオンするシャントレギュレータ４５と、シャントレギュレータ４５がオンしたときに発光する発光ダイオード４７と、この発光ダイオード４７への電流を制限する電流制限抵抗４９とを備えて構成されている。そして、この発光ダイオード４７の発光によって出力端２１の過電圧が検知されることとなる。
【００１７】
スイッチング電源装置１の出力端２１の直流電圧は、スイッチング制御回路５がスイッチング素子３をオン／オフする周波数やデューティー比で規定される。この直流電圧の電圧値を一定に維持すべく、直流電圧の電圧値に基づいてスイッチング制御回路５をフィードバック制御するフィードバック回路（図示せず）が設けられている。さらに、このスイッチング制御回路５にはリセット用コンデンサＣ２が設けられており、このリセット用コンデンサＣ２が放電されたときに、フィードバック値等をリセットするように構成されている。リセット用コンデンサＣ２には、スイッチング電源装置１の入力端７からの入力電力が蓄電され、一旦放電が行われると、入力電力が復電しない限りは蓄電されない。
【００１８】
また、スイッチング電源装置１には、停電時にリセット用コンデンサＣ２を放電してスイッチング制御回路５をリセットさせるパワーオンリセット回路５１が設けられている。パワーオンリセット回路５１は、入力電力の入力電圧Ｖａに基づいて停電／復電を検出する電圧検出回路５３と、電圧検出回路５３の検出に基づいてリセット用コンデンサＣ２を放電する放電回路５５とを備えている。
【００１９】
電圧検出回路５３は、通常時、Ｈレベルの検出信号ＶＣｏを出力しつつ、スイッチング電源装置１への入力電力の停電を検出したときに検出信号ＶＣｏをＬレベルとし、復電したときには停電検出時から所定時間Ｔａ（図３）が経過している事を条件に、検出信号ＶＣｏをＨレベルに戻す回路である。このように、検出信号ＶＣｏをＬレベルとする時間が常に所定時間確保されることから、リセット用コンデンサＣ２を確実に放電させることができる。
放電回路５５は、検出信号ＶＣｏがＬレベルの期間に亘ってリセット用コンデンサＣ２の入力側ノードＮ１をグランド側（アース側）に接続し放電する。具体的には、放電回路５５は、リセット用コンデンサＣ２の入力側ノードＮ１とグランド側の間に設けたスイッチング素子５７と、検出信号ＶＣｏのＬレベルへの遷移に伴いスイッチング素子５７をオンしＨレベルの遷移に伴いオフするスイッチング素子５９とを備えている。スイッチング素子５７をオンするための電位は、上述した励磁リセット回路２５の電解コンデンサ３５から供給され、入力電力遮断時に確実に動作するように構成されている。なお、同図において、放電回路５５が備える抵抗６１〜６７は、電流制限用の抵抗である。
【００２０】
図２は、電圧検出回路５３を拡大して示す回路図である。
電圧検出回路５３は、コンパレータ６０を備え、このコンパレータ６０のプラス側には、スイッチング電源装置１の入力端７の入力電圧Ｖａに基づく入力電圧Ｖｉｎが抵抗Ｒ１を介して入力されるとともに、マイナス側には停電／復電とみなす電圧閾値である復電判定値Ｖｒが入力されている。すなわち、コンパレータ６０は、プラス側の接続ノードＮ２の信号（以下、「比較用信号」と言う）の電圧ＶＣｉと、復電判定値Ｖｒとを比較し、この比較用信号の電圧ＶＣｉが復電判定値Ｖｒ以上の間はＨレベルの信号を検出信号ＶＣｏとして出力し、電圧ＶＣｉが復電判定値Ｖｒ以下になったときに検出信号ＶＣｏをＬレベルとする。
比較用信号の電圧ＶＣｉは、電圧検出回路５３への入力電圧Ｖｉｎの電圧変動に追従して上下変動するが、停電時及び復電時のそれぞれのタイミングで緩やかに変動するように、接続ノードＮ２に第１充放電回路６３及び第２充放電回路６５がそれぞれ接続されている。
【００２１】
第１充放電回路６３は、コンデンサＣ３及び抵抗Ｒ３の並列回路であって、コンパレータ６０のプラス側の接続ノードＮ２と、出力ノードＮ３との間に設けられている。すなわち、第１充放電回路６３のコンデンサＣ３は、接続ノードＮ２に入力電圧Ｖｉｎが印加されることで充電されて所定の電位を保持し、当該接続ノードＮ２の電圧ＶＣｉが復電判定値Ｖｒを下回り、コンパレータ６０の出力ノードＮ３がＬレベル（グランド電位）になったときに放電される。
また、第２充放電回路６５は、コンデンサＣ４及び抵抗Ｒ２の並列回路であって、コンパレータ６０のプラス側の接続ノードＮ２とグランドとの間に設けられている。すなわち、第２充放電回路６５のコンデンサＣ４は、接続ノードＮ２に入力電圧Ｖｉｎが印加されることで充電されて所定の電位を保持し、入力電圧Ｖｉｎの低下に伴って放電する。
【００２２】
これら第１充放電回路６３及び第２充放電回路６５により、停電発生時には、第１充放電回路６３及び第２充放電回路６５が電力を放電することにより、接続ノードＮ２の電圧ＶＣｉがグランド電位まで速やかに降下する。一方、復電時には入力電圧Ｖｉｎの上昇に伴って接続ノードＮ２の電圧ＶＣｉも上昇する。このとき、接続ノードＮ２の電圧ＶＣｉの上昇は、当該接続ノードＮ２に接続した第１充放電回路６３及び第２充放電回路６５の充電を伴うため、入力電圧Ｖｉｎの電圧よりも緩やかに上昇することとなる。
【００２３】
図３は、入力電力投入時（復電時）のスイッチング電源装置１の動作を示すタイミングチャートである。
入力電力の投入（復電）に伴い、電圧検出回路５３の入力電圧Ｖｉｎが上昇すると、上述の通り、コンパレータ６０のプラス側の接続ノードＮ２の電圧ＶＣｉが緩やかに上昇を開始し、所定時間Ｔａをかけて復電判定値Ｖｒに到達する。接続ノードＮ２の電圧ＶＣｉが復電判定値Ｖｒに至ると、コンパレータ６０の出力、すなわち電圧検出回路５３の検出信号ＶＣｏがＨレベルに遷移する。
【００２４】
電圧検出回路５３の検出信号ＶＣｏがＬレベルからＨレベルに至ると、放電回路５５がリセット用コンデンサＣ２とグランド側とを遮断し、これにより、リセット用コンデンサＣ２の充電が開始する。そして、リセット用コンデンサＣ２の電位がスイッチング動作電圧Ｖｓまで上昇すると、スイッチング制御回路５がスイッチング動作を開始し、これに伴い、スイッチング電源装置１の出力側に出力電圧Ｖｂが発生する。なお、リセット用コンデンサＣ２の容量は、復電時にスイッチング動作を速やかに開始できるように、第１充放電回路６３及び第２充放電回路６５が備えるコンデンサＣ３、Ｃ４の容量よりも小さく設定されている。
【００２５】
次いで、電圧検出回路５３における接続ノードＮ２の電圧ＶＣｉの上昇時の動作について詳述する。
図３に示すように、電圧ＶＣｉが復電判定値Ｖｒに至るまでの所定時間Ｔａには、上昇の開始時に非常に緩やかに上昇する初期上昇期間Ｔｂと、その後、緩やかに上昇する上昇期間Ｔｃとが含まれている。初期上昇期間Ｔｂは、第１充放電回路６３及び第２充放電回路６５の両方のコンデンサＣ３、Ｃ４への充電が行われる期間であり、コンデンサＣ３、Ｃ４の充電電圧が接続ノードＮ２の電圧ＶＣｉとなる。本実施形態では、第２充放電回路６５のコンデンサＣ４の容量を第１充放電回路６３のコンデンサＣ３よりも小さくしており、当該第２充放電回路６５のコンデンサＣ４への充電完了に伴って初期上昇期間Ｔｂから上昇期間Ｔｃに移行する。
【００２６】
上昇期間Ｔｃでは、第１充放電回路６３のコンデンサＣ３の充電が継続して行われ、このコンデンサＣ３の充電電圧が接続ノードＮ２の電圧ＶＣｉとなる。
そして、これらコンデンサＣ３、Ｃ４の容量を調整することで充電時間を調整し、これらのコンデンサＣ３、Ｃ４の充電電圧が０ボルトから復電判定値Ｖｒに至るまでに所定時間Ｔａを要するにしている。
【００２７】
図４は、瞬停時のスイッチング電源装置１の動作を示すタイミングチャートである。
スイッチング電源装置１への入力電力の停電／復電が瞬停により瞬間的に生じた場合、同図に示すように、当該スイッチング電源装置１の入力電圧Ｖａが瞬間的にゼロなる。これに伴い電圧検出回路５３の入力電圧Ｖｉｎが降下し、当該入力電圧Ｖｉｎに基づく比較用信号の電圧ＶＣｉが復電判定値Ｖｒまで降下したときにコンパレータ６０がＬレベルの検出信号ＶＣｏを出力する（入力停電検出ｔ１）。これに伴い、放電回路５５がリセット用コンデンサＣ２をグランドに接続することで当該リセット用コンデンサＣ２が放電を開始することとなる。
また電圧検出回路５３にあっては、コンパレータ６０がＬレベルの検出信号ＶＣｏを出力すると、コンデンサＣ３を介して、コンパレータ６０のプラス側の接続ノードＮ２がショートされて、当該接続ノードＮ２の電圧ＶＣｉがゼロボルトになる。
【００２８】
次いで、スイッチング電源装置１の入力電圧Ｖａが復電により復帰すると、電圧検出回路５３の入力電圧Ｖｉｎが上昇する。このとき、電圧検出回路５３にあっては、コンパレータ６０の比較用信号の電圧ＶＣｉが、上述の通り、入力停電検出ｔ１から所定時間Ｔａが経過して復電判定値Ｖｒに至るまでは、コンパレータ６０がＬレベルの検出信号ＶＣｏを出力し続ける。これにより、スイッチング電源装置１の入力電力が復電していても、リセット用コンデンサＣ２の放電が継続される。そして、当該リセット用コンデンサＣ２の電圧がスイッチング停止電圧Ｖｔを下回ったときに、スイッチング制御回路５がスイッチング動作を停止し、これにより、出力電圧Ｖｂもゼロボルトに低下する。
そして、入力停電検出ｔ１から所定時間Ｔａが経過してコンパレータ６０がＨレベルの検出信号ＶＣｏを出力したときには、放電回路５５がリセット用コンデンサＣ２をグランドから遮断することでリセット用コンデンサＣ２の充電が開始され、当該リセット用コンデンサＣ２の電圧がスイッチング動作電圧Ｖｓに至ったときにスイッチング制御回路５がスイッチング動作を開始し、所定の出力電圧Ｖｂが出力される。
【００２９】
このように本実施形態によれば、コンパレータ６０に信号を入力する接続ノードＮ２に、入力電圧Ｖｉｎの降下検出後の復電時から所定時間Ｔａ後に電圧が復電判定値Ｖｒに至る比較用信号を入力電圧Ｖｉｎから生成し、入力電圧Ｖｉｎの降下検出時から比較用信号の電圧ＶＣｉが復電判定値Ｖｒを超えるまで放電回路５５の作動を継続してリセット用コンデンサＣ２を放電する構成とした。
この構成によれば、瞬停が発生した場合であっても、比較用信号は所定時間Ｔａをかけて復電判定値Ｖｒに至るため、当該所定時間Ｔａに亘りリセット用コンデンサＣ２の放電が継続されることとなり確実に放電させることができる。また、入力電圧Ｖｉｎから生成した比較用信号に基づき復電判定を行うため当該復電を確実に検出できる。また、当該比較用信号を用いて放電回路５５の作動を停止させるため、スイッチング電源装置１への電力供給を遮断せずとも確実にスイッチング制御回路５のリセット動作を行うことができる。
【００３０】
また本実施形態によれば、比較用信号をコンパレータ６０に入力する接続ノードＮ２には、入力電圧Ｖｉｎの降下検出時に放電しつつ、接続ノードＮ２に印加された入力電圧Ｖｉｎに基づき充電する第１及び第２充放電回路６３、６５を設ける構成とした。
この構成により、入力電圧Ｖｉｎの降下検出後の復電時から所定時間Ｔａ後に電圧が復電判定値Ｖｒに至る比較用信号を簡単な回路で生成でき、また、これら第１及び第２充放電回路６３、６５が備えるコンデンサＣ３、Ｃ４の容量を適宜設定することで、所定時間Ｔａを簡単に変更できる。
【００３１】
なお、上述した実施形態は、あくまでも本発明の一態様を例示するものであって、本発明の趣旨を逸脱しない範囲で任意に変形及び応用が可能である。
【００３２】
例えば、上述した実施形態では、電圧検出回路５３が第１充放電回路６３及び第２充放電回路６５を備える構成を例示したが、これに限らない。
図５は、本変形例に係る電圧検出回路１５３の構成を示す回路図である。なお、同図において、第１実施形態で説明したものについては同一の符号を付し、その説明を省略する。
この電圧検出回路１５３は、第１実施形態で示した電圧検出回路５３において、第１充放電回路６３に代えてゼロ電圧維持回路７０を設けたものである。ゼロ電圧維持回路７０は、検出用信号の電圧ＶＣｉが復電判定値Ｖｒを下回ったときから所定時間Ｔｄに亘り、比較用信号の電圧ＶＣｉをゼロボルトに維持する回路である。
【００３３】
具体的には、ゼロ電圧維持回路７０は、検出用信号の電圧ＶＣｉが復電判定値Ｖｒを下回りコンパレータ６０がＬレベルの検出信号ＶＣｏを出力したときに接続ノードＮ２をグランドに接続するスイッチ素子Ｑ１、Ｑ２と、コンパレータ６０がＬレベルの検出信号ＶＣｏを出力した後、復電に伴い所定時間Ｔｄをかけて充電されるコンデンサＣ５とを備え、当該コンデンサＣ５の充電完了に伴いスイッチ素子Ｑ２がオフして、接続ノードＮ２をグランドから切断する。なお、同図に示す抵抗Ｒ４〜Ｒ７は、電流制限用の抵抗である。また、コンデンサＣ５の充電や、スイッチ素子Ｑ１、Ｑ２の駆動にはスイッチング電源装置１の入力電力が用いられる。
【００３４】
図６は、本変形例に係る電圧検出回路１５３の瞬停時の動作を示すタイミングチャートである。
瞬停が発生した場合、電圧検出回路１５３においては、比較用信号の電圧ＶＣｉが復電判定値Ｖｒを下回り、コンパレータ６０が出力する検出信号ＶＣｏがＬレベルになった後、上記ゼロ電圧維持回路７０により、比較用信号の電圧ＶＣｉが所定時間Ｔｄに亘りゼロボルトに維持される。その後、第２充放電回路６５への充電が開始され、この充電に伴い接続ノードＮ２の電圧ＶＣｉが復電判定値Ｖｒに至ったときに、コンパレータ６０の検出信号ＶＣｏがＨレベルに遷移する。
【００３５】
このように、本変形例においては、入力電圧Ｖｉｎの降下検出時から所定時間Ｔｄに亘り接続ノードＮ２をグランド側に接続するゼロ電圧維持回路７０を備える構成としたため、入力電圧Ｖｉｎの降下検出後の復電時から電圧ＶＣｉが復電判定値Ｖｒに至る所定時間Ｔｅが所定時間Ｔｄよりも必ず長くなり、リセット用コンデンサＣ２を確実に放電することができる。
【００３６】
上述した実施形態及び変形例においては、本発明をスイッチング電源装置のスイッチング制御回路のリセット動作に適用した場合を例示したが、リセット用コンデンサを備える電気回路であれば、任意の回路に本発明を適用することができる。
【符号の説明】
【００３７】
１  スイッチング電源装置
３  スイッチング素子
５  スイッチング制御回路（電気回路）
５１  パワーオンリセット回路
５３、１５３  電圧検出回路
５５  放電回路
６０  コンパレータ
６３  第１充放電回路
６５  第２充放電回路
７０  ゼロ電圧維持回路
Ｃ２  リセット用コンデンサ
Ｃ３〜Ｃ４  コンデンサ
Ｎ２  接続ノード
Ｔ１  トランス
Ｔａ、Ｔｄ、Ｔｅ  所定時間
Ｔｂ  初期上昇期間
Ｔｃ  上昇期間
ｔ１  入力停電検出
ＶＣｉ  比較用信号の電圧
ＶＣｏ  検出信号
Ｖｉｎ  電圧検出回路への入力電圧
Ｖｒ  復電判定値
【図１】
2011146985.tif 000003
【図２】
2011146985.tif 000004
【図３】
2011146985.tif 000005
【図４】
2011146985.tif 000006
【図５】
2011146985.tif 000007
【図６】
2011146985.tif 000008